(57)【要約】【課題】一眼レフカメラの撮影レンズを交換する際に、テーブル等に立てて置いた場合でも、その状態から自重で移動する部材による強い衝突が起きないレンズ鏡筒の提供を目的とする。【解決手段】本発明によるレンズ鏡筒は、フォーカシングまたはズーミングによって撮影光軸方向に相対移動する第１の部材および第２の部材と、撮影光軸方向において第１の部材と第２の部材が対向する端面に設けられる第１の緩衝部材とを具備し、フォーカシングまたはズーミングの移動終端において、第１の部材と第２の部材が第１の緩衝部材を介して係合することを特徴とする。【選択図】      図１
2004233821.tif 000002
【特許請求の範囲】
【請求項１】
フォーカシングまたはズーミングによって撮影光軸方向に相対移動する第１の部材および第２の部材と、
撮影光軸方向において前記第１の部材と前記第２の部材が対向する端面に設けられる第１の緩衝部材とを具備し、
フォーカシングまたはズーミングの移動終端において、前記第１の部材と前記第２の部材が前記第１の緩衝部材を介して係合することを特徴とするレンズ鏡筒。
【請求項２】
前記緩衝部材が弾性を有し、
フォーカシングまたはズーミングの移動終端において、前記第１の部材と前記第２の部材とが係合し、その後に前記緩衝部材を弾性変形を伴いながら前記第１の部材と前記第２の部材とが相対移動することを特徴とする請求項１に記載のレンズ鏡筒。
【請求項３】
前記弾性変形を伴いながらの前記第１の部材と前記第２の部材との相対移動中は、前記フォーカシングおよび前記ズーミングを行わないことを特徴とする請求項２に記載のレンズ鏡筒。
【請求項４】
前記第１の部材または前記第２の部材は、前記フォーカシングまたは前記ズーミングを行うレンズと第２の緩衝部材を介して連動し、前記第１の部材と前記第２の部材とが係合した後は、前記第２の緩衝部材の緩衝作用によって前記フォーカシングまたは前記ズーミングが行われないことを特徴とする請求項２乃至請求項３に記載のレンズ鏡筒。
【請求項５】
前記第１の部材または前記第２の部材は、カム溝とガイドピンからなるカム機構を介して前記フォーカシングまたは前記ズーミングを行うレンズと連動し、前記第１の部材と前記第２の部材とが係合した後は、前記ガイドピンが前記相対移動方向と一致しカム溝を摺動することにより前記フォーカシングまたは前記ズーミングが行われないことを特徴とする請求項２乃至請求項３に記載のレンズ鏡筒。
【発明の詳細な説明】
【０００１】
【発明の属する技術分野】
本発明は、スチルカメラ等に用いられるレンズ鏡筒に関するものである。
【０００２】
【従来の技術】
従来のレンズ鏡筒を図５〜図８に示す。
【０００３】
図５は、従来のレンズ鏡筒の断面図である。固定筒１は、カメラボディ（不図示）に装着可能なようにバヨネットｌａを有し、ガイドピン４を嵌入させるための光軸方向に伸びる直進穴ｌｂを有する。撮影レンズＬは、カメラボディの結像位置に像を結ぶのに使用され、撮影光軸Ｍの方向に移動する事により、撮影画像をカメラボディの感光面に結像する。
【０００４】
移動枠２は、撮影レンズＬを固定している。操作部材３は、固定筒１に回転のみ可能に嵌合されている。操作部材３はカム溝３ａを有し、カム溝３ａにはガイドピン４が嵌入される。ガイドピン４は移動枠２に植設され、固定筒１の直進穴１ｂに嵌入されると共に、操作部材３のカム溝３ａに嵌入されている。
【０００５】
操作部材３を回転すると、ガイドピン４がカム溝３ａと固定筒１の直進穴ｌｂとにガイドされ、移動枠２は撮影光軸Ｍの方向に移動する。撮影レンズＬは移動枠２に固定されているので、撮影光軸Ｍの方向に移動することになる。これにより、操作部材３を回転すると撮影レンズＬは撮影光軸Ｍ方向に移動し、ピント合わせが達成される。
【０００６】
一眼レフカメラの撮影レンズを交換する際には、外した撮影レンズを図６の様にテーブル等に一旦置いて、交換する撮影レンズを鞄から取り出してカメラに取り付けることが一般的である。図６の様に撮影レンズを置いた場合に、撮影レンズによっては、その自重によって操作部材３が回転し、回転の制限まで回転し続けて図７のように最も短くなった状態で止まる。図６の状態から図７の状態に至るのが急速な場合には、図７の状態になった時に大きな衝突音を発するので、カメラ使用者を驚かせたり撮影レンズの故障原因になったりするので好ましくない。
【０００７】
図６の状態から図７の状態にならないようにするには、図８に示すようにカム溝３ａの傾きを二点鎖線３ａ’のように寝かせると、撮影レンズの自重による操作部材３の回転は防ぐことができるが、他の構成の制約により、カム溝３ａの傾きを寝かせる対策を講じることが出来ない場合がある。
【０００８】
また、撮影レンズを外す際に、図６の状態ではなく図７のように最も短くした状態で行えば上述した問題は無くなるが、撮影レンズの交換の度に最も短くした状態で交換するのは、使い勝手が非常に悪くなる点で問題があった。
［特許文献１］特開２０００−１６２４８６
【０００９】
【発明が解決しようとする課題】
本発明は、上記の問題点に鑑みてなされたもので、一眼レフカメラの撮影レンズを交換する際に、全長が伸びた状態でテーブル等に立てて置いた場合でも、その状態から自重で移動する部材による強い衝突が起きないレンズ鏡筒の提供を目的とする。
【００１０】
【課題を解決するための手段】
この目的を達成するために、請求項１の発明によるレンズ鏡筒は、フォーカシングまたはズーミングによって撮影光軸方向に相対移動する第１の部材および第２の部材と、撮影光軸方向において第１の部材と第２の部材が対向する端面に設けられる第１の緩衝部材とを具備し、フォーカシングまたはズーミングの移動終端において、第１の部材と第２の部材が第１の緩衝部材を介して係合することを特徴とする。
【００１１】
請求項２の発明によるレンズ鏡筒は、請求項１において、緩衝部材が弾性を有し、フォーカシングまたはズーミングの移動終端において、第１の部材と第２の部材とが係合し、その後に緩衝部材を弾性変形を伴いながら第１の部材と第２の部材とが相対移動することを特徴とする。
【００１２】
請求項３の発明によるレンズ鏡筒は、請求項２において、弾性変形を伴いながらの第１の部材と第２の部材との相対移動中は、フォーカシングおよびズーミングを行わないことを特徴とする。
【００１３】
請求項４の発明によるレンズ鏡筒は、請求項２乃至請求項３において、第１の部材または第２の部材は、フォーカシングまたはズーミングを行うレンズと第２の緩衝部材を介して連動し、第１の部材と第２の部材とが係合した後は、第２の緩衝部材の緩衝作用によってフォーカシングまたはズーミングが行われないことを特徴とする。
【００１４】
請求項５の発明によるレンズ鏡筒は、請求項２乃至請求項３において、第１の部材または第２の部材は、カム溝とガイドピンからなるカム機構を介してフォーカシングまたはズーミングを行うレンズと連動し、第１の部材と第２の部材とが係合した後は、ガイドピンが相対移動方向と一致しカム溝を摺動することによりフォーカシングまたはズーミングが行われないことを特徴とする。
【００１５】
【発明の実施の形態】
以下、本発明の実施の形態を図面に基づいて説明する。
【００１６】
図１および図２は、本発明によるレンズ鏡筒の第１実施形態を示す側面図である。
【００１７】
図１および図２において、固定筒１は、カメラボディ（不図示）に装着可能なようにバヨネットｌａを有する。撮影レンズＬは、カメラボディの結像位置に像を結ぶのに使用され、撮影光軸Ｍの方向に移動することにより、撮影画像をカメラボディの感光面に結像する。
【００１８】
移動枠２は、撮影レンズＬを固定している。操作部材３は、固定筒１に回転のみ可能に嵌合されている。操作部材３はカム溝３ａを有し、カム溝３ａにはガイドピン４が嵌入される。ガイドピン４は移動枠２に植設され、固定筒１の直進穴１ｂに嵌入されると共に、操作部材３のカム溝３ａに嵌入されている。
【００１９】
操作部材３を回転すると、ガイドピン４が固定筒１の直進穴１ｂにガイドされ、移動枠２は撮影光軸Ｍの方向に移動する。撮影レンズＬは移動枠２に固定されているので、撮影光軸Ｍの方向に移動することになる。これにより、操作部材３を回転すると撮影レンズＬは撮影光軸Ｍ方向に移動し、ピント合わせが達成される。
【００２０】
固定筒１の端面と移動枠２の端面との間に、緩衝部材５が設けられている。緩衝部材５は、フェルトや板バネ等を用いることが出来るが、スポンジ状に形成されたゴム・ウレタン等の衝撃吸収能力の高いエラストマーを用いるのが好ましい。
【００２１】
操作部材３は、固定筒１に回転のみ可能に嵌合されている。撮影レンズを交換する際に、図１のように光軸を重力方向となるように撮影レンズをテーブル等に置いた場合に、固定筒１および操作部材３の自重により図２のように全長が短くなる方向に操作部材３が回転する。全長が短くなると、固定筒１と緩衝部材５が接触する。その作用で自重による落下の速度は急速に抑えられ、回転制限位置に達する際には、ほぼ停止状態となっている。従って、固定筒１と移動枠２との間で大きな衝突音が発生することもなく、強い衝突も発生しない。
【００２２】
緩衝部材５の高さｈ（図１）は、フォーカシング領域の端部に操作部材３が停止するように設定される。即ち、固定筒１が落下して緩衝部材５を収縮させてから戻ったときの停止位置が、操作部材３のフォーカシング領域の端部となる。このように緩衝部材５の高さｈを設定することにより、操作部材３の操作性に悪影響を与えることがないようにできる。
【００２３】
第１実施形態では、フォーカシングによって全長が伸びるタイプの撮影レンズ鏡筒について説明したが、ズーミングによって全長が伸びるタイプの撮影レンズ鏡筒に対しても本発明を適用することができる。また、第１実施形態では、移動枠２と固定筒１の端面が対向した構成であるが、操作部材３と移動枠２の端面が対向する構成であっても良い。
【００２４】
図３および図４は、本発明によるレンズ鏡筒の第２実施形態を示す側面図である。本実施形態は、操作部材３を光軸に沿った方向に動かすことによりズーミングを行う所謂直進式ズームレンズに本発明を用いた例を説明している。図中、図１〜図２と同じ構成部分には同じ参照番号を付して重複した説明を省略する。
【００２５】
図３および図４において、固定筒１と操作部材３の端面に、緩衝部材５が設けられている。緩衝部材５は、フェルトや板バネ等を用いることが出来るが、スポンジ状に形成されたゴム・ウレタン等の衝撃吸収能力の高いエラストマーを用いるのが好ましい。
【００２６】
操作部材３は、光軸に沿って移動可能に固定筒１に嵌合されている。また、固定筒１には移動枠２に植設されたガイドピン４を光軸方向に案内する直進穴１ｂが設けられている。移動枠２に植設されたガイドピン４は直進穴１ｂに嵌合すると共に操作部材３と係合しているので、操作部材３を光軸方向に移動することにより移動枠２を移動枠２に固設された撮影レンズＬと共に光軸方向に移動可能としている。
【００２７】
移動枠２には不図示のカム環を光軸回りに回転させる不図示のカム溝が設けられており、移動枠２を光軸方向に移動することにより不図示のカム環を回転することが出来る。このカム環の回転により、不図示のレンズ群を光軸方向に移動することができ、撮影レンズＬの移動と共に撮影光学系の焦点距離を可変（ズーミング）可能としている。
【００２８】
操作部材３の内側（内周）には、緩衝部材６が設けられている。緩衝部材６は、適度な硬度を有しており、操作部材３を光軸方向（相対移動方向）に移動することによって、緩衝部材６が操作部材３と一体となってガイドピン４を押し、移動枠２も光軸方向に移動しズーミングを行っている。
【００２９】
図３は操作部材３がズーム端に達した状態を示している。ズーム端に達した状態で、ガイドピン４は直進穴１ｂの端部に当接し矢印方向の移動が規制されると同時に、操作部材３は緩衝部材５に当接する。操作部材３は図４に示すように、緩衝部材５の弾性変形に伴い、さらに矢印方向への移動が可能である。なお、操作部材３が緩衝部材５を弾性変形させながら移動する時には、ガイドピン４は緩衝部材６を弾性変形させているので、移動枠２は動かないためズーミングは行われない。
【００３０】
本実施形態では、操作部材３によって光軸方向に移動する移動枠２に撮影レンズＬが固設されている。そのため、緩衝部材５の弾性変形を伴う操作部材３の操作中には、ガイドピン４が直進穴１ｂの端部に当接すると共に緩衝部材６を弾性変形させ、操作部材３が移動しても移動枠２は移動しない構造となっている。しかし、本発明はこれにとらわれることなく、例えば移動枠２にレンズを固設せず、移動枠２を単に操作部材３の光軸方向の移動を不図示のカム環の回転運動に変換する部材とすれば、固定筒１と操作部材３とが緩衝部材５を介して係合した後は、移動枠２に設けられ不図示のカム環に植設されたカムピンが摺動する不図示のカム溝を、相対移動方向（光軸方向）と一致する方向とすることにより緩衝部材６を省略できる。（請求項５）
【００３１】
この第２実施形態によれば、操作部材３と緩衝部材５が接触し、またガイドピン４と緩衝部材６が接触する作用で操作部材３の自重落下の速度は急速に抑えられ、強い衝突は発生しない。
【００３２】
第２実施形態では、操作部材３の光軸方向の移動によってズーミングが行われるタイプの撮影レンズ鏡筒について説明したが、操作部材３を光軸方向に移動することによってフォーカシングが行われる撮影レンズ鏡筒に対しても本発明を適用することが出来る。
【００３３】
【発明の効果】
以上のように、本発明のレンズ鏡筒によれば、自重によって移動可能な部材を有する撮影レンズ鏡筒であっても、緩衝部材によって衝撃を緩和することが出来るため、大きな衝突音や強い衝撃を発生しないレンズ鏡筒を提供することが可能となる。
【図面の簡単な説明】
【図１】本発明によるレンズ鏡筒の第１実施形態を示す側面図である。
【図２】本発明によるレンズ鏡筒の第１実施形態を示す側面図である。
【図３】本発明によるレンズ鏡筒の第２実施形態を示す断面図である。
【図４】本発明によるレンズ鏡筒の第２実施形態を示す断面図である。
【図５】従来のレンズ鏡筒の一例を示す断面図である。
【図６】従来のレンズ鏡筒の一例を示す側面図である。
【図７】従来のレンズ鏡筒の一例を示す側面図である。
【図８】従来のレンズ鏡筒の一例を示す側面図である。
【符号の説明】
１    固定筒
１ｂ  直進穴
２    移動枠
３    操作部材
３ａ  カム溝
４    ガイドピン
５    緩衝部材
６    緩衝部材
【図１】
2004233821.tif 000003
【図２】
2004233821.tif 000004
【図３】
2004233821.tif 000005
【図４】
2004233821.tif 000006
【図５】
2004233821.tif 000007
【図６】
2004233821.tif 000008
【図７】
2004233821.tif 000009
【図８】
2004233821.tif 000010